(57)【要約】【課題】プライバシーを保護しながら、ユーザより容易に情報を収集し、他のユーザに情報を提供する。【解決手段】情報提供者４０が情報送信管理部に設けられたスイッチをオンの状態にすると、端末装置４１は、所定の間隔毎に、ＧＰＳモジュール４１Ａよりセンサ情報を取得し、ネットワーク２０を介して情報管理サーバ１１に供給する。情報提供者４０がスイッチをオフの状態にすると、端末装置４１は、センサ情報の供給を終了する。供給されたセンサ情報は、情報管理サーバ１１において保存される。情報管理サーバ１１は、情報利用者５０の要求に応じて、保存してあるセンサ情報より統計情報を生成し、情報利用者５０が有する端末装置５１に供給する。本発明は、オンラインサービスシステムに適用できる。【選択図】　　　図１
2004029940.tif 000002
【特許請求の範囲】
【請求項１】
ネットワークに接続され、情報を管理する第１の情報処理装置と、
前記第１の情報処理装置に前記情報を提供する第２の情報処理装置と、
前記第１の情報処理装置より前記情報を取得する第３の情報処理装置と
を備える情報提供システムであって、
前記第１の情報処理装置は、
前記第２の情報処理装置より供給された、前記第２の情報処理装置の周辺に関する周辺情報を取得する周辺情報取得手段と、
前記周辺情報取得手段により取得された前記周辺情報より統計情報を生成する統計情報生成手段と、
前記第３の情報処理装置より前記統計情報の要求を受け付ける要求受け付け手段と、
前記要求受け付け手段により受け付けられた前記要求に基づいて、前記統計情報生成手段により生成された前記統計情報を、前記第３の情報処理装置に供給する統計情報供給手段と
を備え、
前記第２の情報処理装置は、
前記周辺情報を収集する周辺情報収集手段と、
前記周辺情報収集手段により収集された前記周辺情報を、前記第１の情報処理装置に供給する周辺情報供給手段と、
前記周辺情報供給手段による前記周辺情報の供給を制御する供給制御手段と
を備え、
前記第３の情報処理装置は、
前記統計情報を要求する統計情報要求手段と、
前記統計情報要求手段により要求された前記統計情報を取得する統計情報取得手段と
を備えることを特徴とする情報提供システム。
【請求項２】
ネットワークに接続され、情報を管理する情報処理装置であって、
第１の他の情報処理装置より供給された、前記第１の他の情報処理装置の周辺に関する周辺情報を取得する周辺情報取得手段と、
前記周辺情報取得手段により取得された前記周辺情報を記憶する周辺情報記憶手段と、
前記周辺情報記憶手段により記憶された前記周辺情報より統計情報を生成する統計情報生成手段と、
第２の他の情報処理装置より前記統計情報の要求を受け付ける要求受け付け手段と、
前記要求受け付け手段により受け付けられた前記要求に基づいて、前記統計情報生成手段により生成された前記統計情報を、前記第２の他の情報処理装置に供給する統計情報供給手段と
を備えることを特徴とする情報処理装置。
【請求項３】
前記周辺情報は、位置情報、明度情報、温度情報、湿度情報、または、前記第１の他の情報処理装置が他の通信装置より提供された情報を含む
ことを特徴とする請求項２に記載の情報処理装置。
【請求項４】
前記第１の他の情報処理装置および前記第２の他の情報処理装置のユーザに関する個人情報を取得する個人情報取得手段と、
前記個人情報取得手段により取得された前記個人情報を記憶する個人情報記憶手段と
をさらに備えることを特徴とする請求項２に記載の情報処理装置。
【請求項５】
前記統計情報供給手段により供給された前記統計情報に対する課金処理を行う課金処理手段をさらに備える
ことを特徴とする請求項２に記載の情報処理装置。
【請求項６】
前記周辺情報取得手段により取得された前記周辺情報に対する対価を算出する対価算出手段をさらに備える
ことを特徴とする請求項５に記載の情報処理装置。
【請求項７】
前記対価算出手段は、徴収された情報料の一部を、前記周辺情報を提供した情報提供者に、その提供した情報量に応じて、配分するように対価を算出する
ことを特徴とする請求項６に記載の情報処理装置。
【請求項８】
暗号化された前記周辺情報を復号する復号手段をさらに備え、
前記周辺情報取得手段は、暗号化された前記周辺情報を取得し、
前記周辺情報記憶手段は、前記復号手段により復号された前記周辺情報を記憶する
ことを特徴とする請求項２に記載の情報処理装置。
【請求項９】
前記第１の他の情報処理装置が、前記復号手段が復号可能な方法で、前記周辺情報を暗号化するための暗号化鍵を前記第１の他の情報処理装置に供給する暗号化鍵供給手段をさらに備える
ことを特徴とする請求項８に記載の情報処理装置。
【請求項１０】
ネットワークに接続され、情報を管理する情報処理装置の情報処理方法であって、
第１の他の情報処理装置より供給された、前記第１の他の情報処理装置の周辺に関する周辺情報の取得を制御する周辺情報取得制御ステップと、
前記周辺情報取得制御ステップの処理により取得が制御された前記周辺情報の記憶を制御する周辺情報記憶制御ステップと、
前記周辺情報記憶制御ステップの処理により記憶が制御された前記周辺情報より統計情報を生成する統計情報生成ステップと、
第２の他の情報処理装置より前記統計情報の要求の受け付けを制御する要求受け付け制御ステップと、
前記要求受け付け制御ステップの処理により受け付けが制御された前記要求に基づいて、前記統計情報生成ステップの処理により生成された前記統計情報の、前記第２の他の情報処理装置への供給を制御する統計情報供給制御ステップと
を含むことを特徴とする情報処理方法。
【請求項１１】
ネットワークに接続され、情報を管理する情報処理装置用のプログラムであって、
第１の他の情報処理装置より供給された、前記第１の他の情報処理装置の周辺に関する周辺情報の取得を制御する周辺情報取得制御ステップと、
前記周辺情報取得制御ステップの処理により取得が制御された前記周辺情報の記憶を制御する周辺情報記憶制御ステップと、
前記周辺情報記憶制御ステップの処理により記憶が制御された前記周辺情報より統計情報を生成する統計情報生成ステップと、
第２の他の情報処理装置より前記統計情報の要求の受け付けを制御する要求受け付け制御ステップと、
前記要求受け付け制御ステップの処理により受け付けが制御された前記要求に基づいて、前記統計情報生成ステップの処理により生成された前記統計情報の、前記第２の他の情報処理装置への供給を制御する統計情報供給制御ステップと
を含むことを特徴とするコンピュータが読み取り可能なプログラムが記録されている記録媒体。
【請求項１２】
ネットワークに接続され、情報を管理する情報処理装置を制御するコンピュータが実行可能なプログラムであって、
第１の他の情報処理装置より供給された、前記第１の他の情報処理装置の周辺に関する周辺情報の取得を制御する周辺情報取得制御ステップと、
前記周辺情報取得制御ステップの処理により取得が制御された前記周辺情報の記憶を制御する周辺情報記憶制御ステップと、
前記周辺情報記憶制御ステップの処理により記憶が制御された前記周辺情報より統計情報を生成する統計情報生成ステップと、
第２の他の情報処理装置より前記統計情報の要求の受け付けを制御する要求受け付け制御ステップと、
前記要求受け付け制御ステップの処理により受け付けが制御された前記要求に基づいて、前記統計情報生成ステップの処理により生成された前記統計情報の、前記第２の他の情報処理装置への供給を制御する統計情報供給制御ステップと
を含むことを特徴とするプログラム。
【請求項１３】
他の情報処理装置に情報を提供する情報処理装置であって、
所定の周辺情報を取得する周辺情報取得手段と、
前記周辺情報取得手段により取得された前記周辺情報を供給する周辺情報供給手段と、
前記周辺情報供給手段による前記周辺情報の供給を制御する供給制御手段と
を備えることを特徴とする情報処理装置。
【請求項１４】
前記周辺情報は、位置情報、明度情報、温度情報、湿度情報、または他の通信装置より提供される情報を含む
ことを特徴とする請求項１３に記載の情報処理装置。
【請求項１５】
前記周辺情報取得手段により取得された前記周辺情報を暗号化する暗号化手段をさらに備え、
前記周辺情報供給手段は、前記暗号化手段により暗号化された前記周辺情報を供給する
ことを特徴とする請求項１３に記載の情報処理装置。
【請求項１６】
前記他の情報処理装置より供給された暗号化鍵を取得する暗号化鍵取得手段をさらに備え、
前記暗号化手段は、前記暗号化鍵取得手段により取得された前記暗号化鍵を用いて、前記周辺情報を暗号化する
ことを特徴とする請求項１５に記載の情報処理装置。
【請求項１７】
ユーザによる、前記周辺情報の供給に関する指示を受け付ける指示受け付け手段をさらに備え、
前記供給制御手段は、前記指示受け付け手段により受け付けられた前記指示に基づいて、前記周辺情報の供給を制御する
ことを特徴とする請求項１３に記載の情報処理装置。
【請求項１８】
前記供給制御手段は、
ユーザより前記周辺情報の供給開始が指示されると、前記周辺情報を定期的または不定期に供給させ、
ユーザより前記周辺情報の供給終了が指示されると、前記周辺情報の供給を停止させる
ことを特徴とする請求項１７に記載の情報処理装置。
【請求項１９】
他の情報処理装置に情報を提供する情報処理装置の情報処理方法であって、
所定の周辺情報の取得を制御する周辺情報取得制御ステップと、
前記周辺情報取得制御ステップの処理により取得が制御された前記周辺情報の供給を制御する周辺情報供給制御ステップと
を含むことを特徴とする情報処理方法。
【請求項２０】
他の情報処理装置に情報を提供する情報処理装置用のプログラムであって、
所定の周辺情報の取得を制御する周辺情報取得制御ステップと、
前記周辺情報取得制御ステップの処理により取得が制御された前記周辺情報の供給を制御する周辺情報供給制御ステップと
を含むことを特徴とするコンピュータが読み取り可能なプログラムが記録されている記録媒体。
【請求項２１】
他の情報処理装置に情報を提供する情報処理装置を制御するコンピュータが実行可能なプログラムであって、
所定の周辺情報の取得を制御する周辺情報取得制御ステップと、
前記周辺情報取得制御ステップの処理により取得が制御された前記周辺情報の供給を制御する周辺情報供給制御ステップと
を含むことを特徴とするプログラム。
【発明の詳細な説明】
【０００１】
【発明の属する技術分野】
本発明は情報提供システム、情報処理装置および方法、記録媒体、並びにプログラムに関し、特に、プライバシーを保護しながら、ユーザより容易に情報を収集し、他のユーザに情報を提供することができるようにした情報提供システム、情報処理装置および方法、記録媒体、並びにプログラムに関する。
【０００２】
【従来の技術】
近年、携帯電話機や携帯型端末装置等を用いた無線通信システムが急速に普及している。さらに、携帯電話機や携帯型端末装置に、ＧＰＳ（Ｇｌｏｂａｌ　Ｐｏｓｉｔｉｏｎｉｎｇ　Ｓｙｓｔｅｍ）アンテナやＣＣＤ　（Ｃｈａｒｇｅ　Ｃｏｕｐｌｅｄ　Ｄｅｖｉｃｅ）カメラ等の情報収集機能を備えさせることにより、それらを用いたサービスを提供するシステムも存在する。
【０００３】
例えば、ＧＰＳアンテナを備える携帯電話機を用いて、ユーザがいる位置情報を提供するＤＧＰＳ（Ｄｉｆｆｅｒｅｎｔｉａｌ　ＧＰＳ）サービスがある。このサービスの場合、携帯電話機は、ＧＰＳアンテナを用いて、複数の測地衛星より発信される電波を受信し、サーバに供給する。サーバは、それらの情報に基づいて三角測量を行い、携帯電話機に算出された位置情報を提供するとともに、予め正確に測定されているサーバの位置でＧＰＳの測定結果と実際の経緯度とを比較し、携帯電話機にその誤差情報を提供する。これにより、携帯電話機は、その誤差情報に基づいて取得した位置情報を補正し、正確な位置情報を取得することができる。
【０００４】
また、例えば、ＣＣＤカメラを備える携帯電話機を用いたサービスにおいて、携帯電話機は、ＣＣＤカメラにより撮影された静止画像や動画像等を、サーバを介して、他の携帯電話機やパーソナルコンピュータ等に供給することができる。
【０００５】
以上のように多様化したサービスを用いて、情報収集機能を備える携帯型端末装置より各種の情報を収集しておき、他のユーザの要求に応じて、収集したそれらの情報を提供するサービスが考えられる。
【０００６】
【発明が解決しようとする課題】
しかしながら、このような方法の場合、携帯型端末装置が提供する情報をそのまま活用してしまい、情報を提供した携帯型端末装置のユーザの個人情報を保護することができないという課題があった。
【０００７】
また、情報収集機能を備える携帯型端末装置が、収集した情報を常にサーバ側に提供するようにすると、携帯型端末装置およびサーバの処理する情報量が大きくなり、システムに過大な負荷がかかってしまうという課題があった。
【０００８】
これらに対して、個人情報を保護するために、または、システムの負荷を軽減するために、携帯型端末装置のユーザが、情報収集機能を用いて情報を収集する際に、収集した情報を提供するか否かを毎回選択する方法が考えられるが、その場合、煩雑な作業を要し、ユーザの情報を提供する意思を妨げる恐れがあるという課題があった。
【０００９】
また、情報を提供するユーザの動機付けとして、提供された情報に対する対価の支払いが考えられるが、以上のようなサービスにおいて、その対価の算出方法は具体的に考えられていないという課題もあった。
【００１０】
本発明はこのような状況に鑑みてなされたものであり、プライバシーを保護しながら、ユーザより容易に情報を収集し、他のユーザに情報を提供することができるようにするものである。
【００１１】
【課題を解決するための手段】
本発明の情報提供システムは、ネットワークに接続され、情報を管理する第１の情報処理装置と、第１の情報処理装置に情報を提供する第２の情報処理装置と、第１の情報処理装置より情報を取得する第３の情報処理装置とを備える情報提供システムであって、第１の情報処理装置は、第２の情報処理装置より供給された、第２の情報処理装置の周辺に関する周辺情報を取得する周辺情報取得手段と、周辺情報取得手段により取得された周辺情報より統計情報を生成する統計情報生成手段と、第３の情報処理装置より統計情報の要求を受け付ける要求受け付け手段と、要求受け付け手段により受け付けられた要求に基づいて、統計情報生成手段により生成された統計情報を、第３の情報処理装置に供給する統計情報供給手段とを備え、第２の情報処理装置は、周辺情報を収集する周辺情報収集手段と、周辺情報収集手段により収集された周辺情報を、第１の情報処理装置に供給する周辺情報供給手段と、周辺情報供給手段による周辺情報の供給を制御する供給制御手段とを備え、第３の情報処理装置は、統計情報を要求する統計情報要求手段と、統計情報要求手段により要求された統計情報を取得する統計情報取得手段とを備えることを特徴とする。
【００１２】
本発明の第１の情報処理装置は、ネットワークに接続され、情報を管理する情報処理装置であって、第１の他の情報処理装置より供給された、第１の他の情報処理装置の周辺に関する周辺情報を取得する周辺情報取得手段と、周辺情報取得手段により取得された周辺情報を記憶する周辺情報記憶手段と、周辺情報記憶手段により記憶された周辺情報より統計情報を生成する統計情報生成手段と、第２の他の情報処理装置より統計情報の要求を受け付ける要求受け付け手段と、要求受け付け手段により受け付けられた要求に基づいて、統計情報生成手段により生成された統計情報を、第２の他の情報処理装置に供給する統計情報供給手段とを備えることを特徴とする。
【００１３】
前記周辺情報は、位置情報、明度情報、温度情報、湿度情報、または、第１の他の情報処理装置が他の通信装置より提供された情報を含むようにすることができる。
【００１４】
前記第１の他の情報処理装置および第２の他の情報処理装置のユーザに関する個人情報を取得する個人情報取得手段と、個人情報取得手段により取得された個人情報を記憶する個人情報記憶手段とようにすることができる。
【００１５】
前記統計情報供給手段により供給された統計情報に対する課金処理を行う課金処理手段をさらに備えるようにすることができる。
【００１６】
前記周辺情報取得手段により取得された周辺情報に対する対価を算出する対価算出手段をさらに備えるようにすることができる。
【００１７】
前記対価算出手段は、徴収された情報料の一部を、周辺情報を提供した情報提供者に、その提供した情報量に応じて、配分するように対価を算出するようにすることができる。
【００１８】
暗号化された周辺情報を復号する復号手段をさらに備え、周辺情報取得手段は、暗号化された周辺情報を取得し、周辺情報記憶手段は、復号手段により復号された周辺情報を記憶するようにすることができる。
【００１９】
前記第１の他の情報処理装置が、復号手段が復号可能な方法で、周辺情報を暗号化するための暗号化鍵を第１の他の情報処理装置に供給する暗号化鍵供給手段をさらに備えるようにすることができる。
【００２０】
本発明の第１の情報処理方法は、第１の他の情報処理装置より供給された、第１の他の情報処理装置の周辺に関する周辺情報の取得を制御する周辺情報取得制御ステップと、周辺情報取得制御ステップの処理により取得が制御された周辺情報の記憶を制御する周辺情報記憶制御ステップと、周辺情報記憶制御ステップの処理により記憶が制御された周辺情報より統計情報を生成する統計情報生成ステップと、第２の他の情報処理装置より統計情報の要求の受け付けを制御する要求受け付け制御ステップと、要求受け付け制御ステップの処理により受け付けが制御された要求に基づいて、統計情報生成ステップの処理により生成された統計情報の、第２の他の情報処理装置への供給を制御する統計情報供給制御ステップとを含むことを特徴とする。
【００２１】
本発明の第１の記録媒体のプログラムは、第１の他の情報処理装置より供給された、第１の他の情報処理装置の周辺に関する周辺情報の取得を制御する周辺情報取得制御ステップと、周辺情報取得制御ステップの処理により取得が制御された周辺情報の記憶を制御する周辺情報記憶制御ステップと、周辺情報記憶制御ステップの処理により記憶が制御された周辺情報より統計情報を生成する統計情報生成ステップと、第２の他の情報処理装置より統計情報の要求の受け付けを制御する要求受け付け制御ステップと、要求受け付け制御ステップの処理により受け付けが制御された要求に基づいて、統計情報生成ステップの処理により生成された統計情報の、第２の他の情報処理装置への供給を制御する統計情報供給制御ステップとを含むことを特徴とする。
【００２２】
本発明の第１のプログラムは、第１の他の情報処理装置より供給された、第１の他の情報処理装置の周辺に関する周辺情報の取得を制御する周辺情報取得制御ステップと、周辺情報取得制御ステップの処理により取得が制御された周辺情報の記憶を制御する周辺情報記憶制御ステップと、周辺情報記憶制御ステップの処理により記憶が制御された周辺情報より統計情報を生成する統計情報生成ステップと、第２の他の情報処理装置より統計情報の要求の受け付けを制御する要求受け付け制御ステップと、要求受け付け制御ステップの処理により受け付けが制御された要求に基づいて、統計情報生成ステップの処理により生成された統計情報の、第２の他の情報処理装置への供給を制御する統計情報供給制御ステップとをコンピュータに実現させる。
【００２３】
本発明の第２の情報処理装置は、所定の周辺情報を取得する周辺情報取得手段と、周辺情報取得手段により取得された周辺情報を供給する周辺情報供給手段と、周辺情報供給手段による周辺情報の供給を制御する供給制御手段とを備えることを特徴とする。
【００２４】
前記周辺情報は、位置情報、明度情報、温度情報、湿度情報、または他の通信装置より提供される情報を含むようにすることができる。
【００２５】
前記周辺情報取得手段により取得された周辺情報を暗号化する暗号化手段をさらに備え、周辺情報供給手段は、暗号化手段により暗号化された周辺情報を供給するようにすることができる。
【００２６】
前記他の情報処理装置より供給された暗号化鍵を取得する暗号化鍵取得手段をさらに備え、暗号化手段は、暗号化鍵取得手段により取得された暗号化鍵を用いて、周辺情報を暗号化するようにすることができる。
【００２７】
ユーザによる、周辺情報の供給に関する指示を受け付ける指示受け付け手段をさらに備え、供給制御手段は、指示受け付け手段により受け付けられた指示に基づいて、周辺情報の供給を制御するようにすることができる。
【００２８】
前記供給制御手段は、ユーザより周辺情報の供給開始が指示されると、周辺情報を定期的または不定期に供給させ、ユーザより周辺情報の供給終了が指示されると、周辺情報の供給を停止させるようにすることができる。
【００２９】
本発明の第２の情報処理方法は、所定の周辺情報の取得を制御する周辺情報取得制御ステップと、周辺情報取得制御ステップの処理により取得が制御された周辺情報の供給を制御する周辺情報供給制御ステップとを含むことを特徴とする。
【００３０】
本発明の第２の記録媒体のプログラムは、所定の周辺情報の取得を制御する周辺情報取得制御ステップと、周辺情報取得制御ステップの処理により取得が制御された周辺情報の供給を制御する周辺情報供給制御ステップとを含むことを特徴とする。
【００３１】
本発明の第２のプログラムは、所定の周辺情報の取得を制御する周辺情報取得制御ステップと、周辺情報取得制御ステップの処理により取得が制御された周辺情報の供給を制御する周辺情報供給制御ステップとコンピュータに実現させる。
【００３２】
本発明の情報提供システムにおいては、ネットワークに接続され、情報を管理する第１の情報処理装置と、第１の情報処理装置に情報を提供する第２の情報処理装置と、第１の情報処理装置より情報を取得する第３の情報処理装置とが備えられ、第１の情報処理装置においては、第２の情報処理装置より供給された、第２の情報処理装置の周辺に関する周辺情報が取得され、取得された周辺情報より統計情報が生成され、第３の情報処理装置より受け付けられた統計情報の要求に基づいて、その生成された統計情報が第３の情報処理装置に供給され、第２の情報処理装置においては、周辺情報が収集されて、第１の情報処理装置に供給されるとともに、その周辺情報の供給が制御され、第３の情報処理装置においては、統計情報が要求され、その要求された統計情報が取得される。
【００３３】
本発明の第１の情報処理装置および方法、並びに第１のプログラムにおいては、第１の他の情報処理装置より供給された、第１の他の情報処理装置の周辺に関する周辺情報が取得され、その取得された周辺情報が記憶され、記憶された周辺情報より統計情報が生成され、第２の他の情報処理装置より受け付けられた統計情報の要求に基づいて、生成された統計情報が第２の他の情報処理装置に供給される。
【００３４】
本発明の第２の情報処理装置および方法、並びに第２のプログラムにおいては、所定の周辺情報が取得され、その取得された周辺情報が供給されるとともに、その周辺情報の供給が制御される。
【００３５】
【発明の実施の形態】
図１は本発明を適用した情報提供システムの構成例を示す図である。
【００３６】
図１において、情報センタ１０の情報管理サーバ１１は、インターネット等に代表されるネットワーク２０に接続されており、情報提供者４０の端末装置４１より供給される情報を収集し、管理し、情報利用者５０の端末装置５１により要求された情報を、ネットワーク２０を介して端末装置５１に供給する。
【００３７】
情報提供者４０が有する端末装置４１は、携帯電話機やＰＤＡ（Ｐｅｒｓｏｎａｌ　Ｄｉｇｉｔａｌ　Ａｓｓｉｓｔａｎｔｓ）等に代表される、無線通信機能を有する携帯型の情報処理装置であり、ネットワーク２０に接続されている最寄り基地局３１と無線通信を行うことによりネットワーク２０と接続可能とされている。また、端末装置４１は、ＧＰＳモジュール４１Ａを有しており、測地衛星の発信する電波（１．２２７６０ＧＨｚ乃至１．５７５４２ＧＨｚ）を受信し、位置情報を取得することができる。
【００３８】
同様に、情報利用者５０が有する端末装置５１は、携帯電話機やＰＤＡ（Ｐｅｒｓｏｎａｌ　Ｄｉｇｉｔａｌ　Ａｓｓｉｓｔａｎｔｓ）等に代表される、無線通信機能を有する携帯型の情報処理装置であり、ネットワーク２０に接続されている最寄り基地局３２と無線通信を行うことによりネットワーク２０と接続可能とされている。
【００３９】
端末装置４１および端末装置５１は、データ通信を行う機能を有しており、それぞれ、基地局３１および３２と無線通信を行うことにより、ネットワーク２０と接続されている情報管理サーバ１１とデータ通信を行う。
【００４０】
端末装置４１は、ネットワーク２０を介して、情報管理サーバ１１に、取得した情報を定期的または不定期に供給する。情報管理サーバ１１は、端末装置４１より供給された情報を蓄積しておき、端末装置５１より要求された情報を蓄積された情報の中から抽出し、その情報について統計処理を行った後、端末装置５１に供給する。
【００４１】
図２は、情報センタ１０の情報管理サーバ１１の内部の構成例を示す図である。
【００４２】
図２において、ＣＰＵ（Ｃｅｎｔｒａｌ　Ｐｒｏｃｅｓｓｉｎｇ　Ｕｎｉｔ）１０１は、ＲＯＭ（Ｒｅａｄ　Ｏｎｌｙ　Ｍｅｍｏｒｙ）１０２に記憶されているプログラム、または記憶部１２３からＲＡＭ（Ｒａｎｄｏｍ　Ａｃｃｅｓｓ　Ｍｅｍｏｒｙ）１０３にロードされたプログラムに従って各種の処理を実行する。ＲＡＭ１０３にはまた、ＣＰＵ１０１が各種の処理を実行する上において必要なデータなども適宜記憶される。
【００４３】
復号部１０４は、ＣＰＵ１０１に制御され、通信部１２４により取得された、暗号化された情報を、その情報を暗号化した暗号化方法に対応する所定の方法で復号する。
【００４４】
統計処理部１０５は、ＣＰＵ１０１に制御され、センサ情報データベース１３１に登録されているセンサ情報を取得するとともに、記憶部１２３に記憶されている統計処理を行う為の計算情報を取得し、その取得した計算情報に基づいた方法でセンサ情報の統計処理を行い、統計情報を生成する。
【００４５】
対価計算部１０６は、ＣＰＵ１０１に制御され、情報を提供したユーザに支払う、提供された情報に対する対価を算出する。また、対価計算部１０６は、ＣＰＵ１０１に制御され、情報を要求したユーザに対する課金処理を行う。
【００４６】
ＣＰＵ１０１、ＲＯＭ１０２、ＲＡＭ１０３、復号部１０４、統計処理部１０５、および、対価計算部１０６は、バス１１０を介して相互に接続されている。このバス１１０にはまた、入出力インタフェース１２０も接続されている。
【００４７】
入出力インタフェース１２０には、キーボード、マウスなどよりなる入力部１２１、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）などよりなるディスプレイ、並びにスピーカなどよりなる出力部１２２、ハードディスクなどより構成される記憶部１２３、モデム、ターミナルアダプタなどより構成される通信部１２４が接続されている。
【００４８】
記憶部１２３には、統計処理を実行するための計算情報が記憶されている。計算情報は、統計処理部１０５においてセンサ情報の統計処理を実行するための、計算式や方法等に関する情報により構成される。
【００４９】
通信部１１４は、ネットワーク２０を介して端末装置４１と通信処理を行い、センサ情報を取得したり、ネットワーク２０を介して端末装置５１と通信処理を行い、要求された提供情報を供給したりする。
【００５０】
また、入出力インタフェース１２０には、ＣＰＵ１０１に制御され、端末装置４１より供給されたセンサ情報を蓄積するセンサ情報データベース１３１、および、ＣＰＵ１０１に制御され、端末装置４１のユーザに関する情報を蓄積する個人情報データベース１３２が接続されている。
【００５１】
入出力インタフェース１２０にはさらに、必要に応じてドライブ１４０が接続され、磁気ディスク１４１、光ディスク１４２、光磁気ディスク１４３、或いは半導体メモリ１４４などが適宜装着され、それらから読み出されたコンピュータプログラムが、必要に応じて記憶部１２３にインストールされる。
【００５２】
以上のように構成された情報管理サーバ１１は、ネットワーク２０を介して、情報提供者４０の端末装置４１よりセンサ情報を取得し、蓄積する。また、情報管理サーバ１１は、ネットワーク２０を介して情報利用者５０の端末装置５１より先に供給された要求に基づいて、蓄積しているセンサ情報より対応する情報を検索し、統計処理を施した後、その統計結果である統計情報を端末装置５１に供給する。
【００５３】
次に、情報提供者側について説明する。図３は、図１の端末装置４１の構成例を示す図である。
【００５４】
図３において、ＣＰＵ２０１は、ＲＯＭ２０３に記憶されているプログラム、または記憶部２１１からＲＡＭ２０２にロードされたプログラムに従って各種の処理を実行する。ＲＡＭ２０２にはまた、ＣＰＵ２０１が各種の処理を実行する上において必要なデータなども適宜記憶される。
【００５５】
情報送信管理部２０４は、ＣＰＵ２０１に制御され、センサ制御部２１６を介してＧＰＳモジュール４１Ａより取得されるセンサ情報の送信に関する設定情報を保持し、その設定情報に基づいて、通信部２１２より送信する情報を管理する。また、情報送信管理部２０４には、スイッチ２０４Ａが備えられている。ユーザが、このスイッチ２０４Ａをオンにすると、情報送信管理部２０４は、取得したセンサ情報の供給を許可し、センサ情報より供給する情報を生成し、通信部２１２を介して情報管理サーバ１１に供給する。
【００５６】
なお、スイッチ２０４Ａは、ハードウェアで構成されるハードウェアスイッチであってもよく、ソフトウェアで構成されるソフトウェアスイッチであってもよい。
【００５７】
また、記憶部２１１は、ハードディスクなどより構成されており、センサ制御部２１６より供給されたセンサ情報、入力部２１５より入力された、ユーザの個人情報、通信部２１２を介して、情報管理サーバ１１より供給された通信情報等、各種の情報やプログラムを記憶する。
【００５８】
通信部２１２は、モデム、ターミナルアダプタなどより構成されており、ＣＰＵ２０１に制御されて基地局３１と無線通信を行うことにより、ネットワーク２０を介して、情報管理サーバ１１と通信を行い、情報管理サーバ１１に提供するセンサ情報や個人情報等を供給し、情報管理サーバ１１により供給された通信情報等を取得する。
【００５９】
暗号化部２１３は、ＣＰＵ２０１制御され、通信部２１２を介して情報管理サーバ１１に供給するセンサ情報を暗号化する。暗号化部２１３は、情報管理サーバ１１により供給された暗号鍵を用いて、暗号化を行う。
【００６０】
表示部２１４は、ＣＲＴやＬＣＤに代表されるディスプレイ等により構成され、供給された情報に対応する画像を表示する。入力部２１５は、キーボードやマウスなどにより構成され、ユーザに操作されて、各種の情報を入力する。
【００６１】
センサ制御部２１６は、接続された、図１のＧＰＳモジュール４１Ａ等のセンサの動作を制御し、センサより所定の情報を取得し、ＲＡＭ２０２、または記憶部２１１等に供給する。図３に示される端末装置４１において、センサ制御部２１６は、接続されたＧＰＳモジュール４１Ａを制御して、複数の測地衛星より発信される電波を検知し、受信する。なお、センサ制御部２１６には、後述するように、例えば、光量を検出する光センサや、所定の無線信号を検出し、通信処理を行うブルートゥースモジュール等の、ＧＰＳモジュール４１以外のセンサが接続されるようにしてもよい。
【００６２】
ＣＰＵ２０１、ＲＡＭ２０２、ＲＯＭ２０３、情報送信管理部２０４、記憶部２１１、通信部２１２、暗号化部２１３、表示部２１４、入力部２１５、およびセンサ制御部２１６は、バス２２０を介して相互に接続されている。
【００６３】
バス２２０にはまた、必要に応じてドライブ２３０が接続され、磁気ディスク２３１、光ディスク２３２、光磁気ディスク２３３、或いは半導体メモリ２３４などが適宜装着され、それらから読み出されたコンピュータプログラムが、必要に応じて記憶部２１１にインストールされる。
【００６４】
センサ制御部２１６に接続されるＧＰＳモジュール４１Ａは、図４Ａに示されるように、端末装置４１と別体に構成されており、測地衛星より発信される電波を受信するアンテナ部２４１、受信した信号を処理する本体部２４２、および、ＧＰＳモジュール４１Ａと端末装置４１を接続する接続部２４３により構成されている。
【００６５】
ＧＰＳモジュール４１Ａは、図４Ａに示される接続部２４３が、図４Ｂに示される端末装置４１の上面に設けられた接続スロット２５１に、図１に示されるように、所定の位置まで挿入されることにより、図３のセンサ制御部２１６に電気的に接続される。センサ制御部２１６に電気的に接続されると、ＧＰＳモジュール４１Ａには、端末装置４１Ａより電源が供給され、センサ制御部２１６に制御されて、測地衛星より発信される電波を検知し、受信することができるようになる。
【００６６】
なお、以上においては、ＧＰＳモジュール４１Ａは、端末装置４１と別体で構成されるように説明したが、これに限らず、端末装置４１と一体化して構成されていてもよく、さらに、端末装置４１に内蔵されるようにしてもよい。
【００６７】
以上のように構成された端末装置４１は、ＧＰＳモジュール４１を用いて、センサ情報を取得し、最寄りの基地局３１と無線通信を行い、ネットワーク２０を介して、情報管理サーバ３１に、取得したセンサ情報を供給する。
【００６８】
次に、情報利用者側について説明する。図５は、図１の端末装置５１の構成例を示す図である。
【００６９】
図５において、ＣＰＵ３０１は、ＲＯＭ３０３に記憶されているプログラム、または記憶部３１１からＲＡＭ３０２にロードされたプログラムに従って各種の処理を実行する。ＲＡＭ３０２にはまた、ＣＰＵ３０１が各種の処理を実行する上において必要なデータなども適宜記憶される。
【００７０】
また、記憶部３１１は、ハードディスクなどより構成されており、通信部３１２を介して取得した統計情報等の各種の情報やプログラムを記憶する。
【００７１】
通信部３１２は、モデム、ターミナルアダプタなどより構成されており、ＣＰＵ３０１に制御されて、基地局３２と無線通信を行うことにより、ネットワーク２０を介して情報管理サーバ１１と通信を行い、情報管理サーバ１１に対してユーザが指定する統計情報を要求し、情報管理サーバ１１より供給される統計情報を取得する。
【００７２】
表示部３１４は、ＣＲＴやＬＣＤに代表されるディスプレイ等により構成され、供給された情報に対応する画像を表示する。入力部３１５は、キーボードやマウスなどにより構成され、ユーザに操作されて、各種の情報を入力する。
【００７３】
ＣＰＵ３０１、ＲＡＭ３０２、ＲＯＭ３０３、記憶部３１１、通信部３１２、表示部３１４、および、入力部３１５は、バス３２０を介して相互に接続されている。
【００７４】
バス３２０にはまた、必要に応じてドライブ３３０が接続され、磁気ディスク３３１、光ディスク３３２、光磁気ディスク３３３、或いは半導体メモリ３３４などが適宜装着され、それらから読み出されたコンピュータプログラムが、必要に応じて記憶部３１１にインストールされる。
【００７５】
以上のように構成される端末装置４１は、最寄りの基地局３２と無線通信を行い、ネットワーク２０を介して情報管理サーバ１１に統計情報を要求し、その要求に基づいて情報管理サーバ１１より供給された統計情報を取得する。
【００７６】
次に、上述した各装置の動作について説明する。最初に、図１の端末装置４１は、ユーザに関する情報からなる個人プロフィール情報を、情報センタ１０の情報管理サーバ１１に供給し、ユーザを情報提供者４０として登録する。
【００７７】
端末装置４１による個人プロフィール情報供給処理について、図６のフローチャートを参照して説明する。
【００７８】
最初に、ステップＳ１において、端末装置４１のＣＰＵ２０１は、通信部２１２を制御して最寄りの基地局３１と無線通信を行わせ、ネットワーク２０を介して情報管理サーバ１１にアクセスする。アクセスされた情報管理サーバ１１は、後述するように、個人プロフィール情報を入力するためのＧＵＩからなる入力フォーム情報を、アクセスしてきた端末装置４１に供給する。
【００７９】
情報管理サーバ１１にアクセスしたＣＰＵ２０１は、ステップＳ２において、通信部２１２を制御して、情報管理サーバ１１より入力フォーム情報を取得したか否かを判定し、取得したと判定するまで待機する。
【００８０】
そして、通信部２１２が入力フォーム情報を取得したと判定した場合、ＣＰＵ２０１は、ステップＳ３に処理を進め、取得した入力フォーム情報を表示部２１４に供給し、表示部２１４を制御して、入力フォーム情報に対応する入力画面を表示させ、入力部２１５を制御して、ユーザによる入力の受け付けを開始する。
【００８１】
ユーザは、表示部２１４に表示された入力画面に従って、氏名、住所、または連絡先等の個人プロフィール情報を、入力部２１５を操作して入力する。ＣＰＵ２０１は、入力部２１５を制御して、入力された個人プロフィール情報をＲＡＭ２０２に供給させ、ＲＡＭ２０２に保持させる。そして、個人プロフィール情報の入力が完了すると、ユーザは、入力部２１５を操作して、入力終了の指示を出す。
【００８２】
ステップＳ４において、ＣＰＵ２０１は、入力部２１５を制御して、ユーザからの指示を検知することにより、入力が終了したか否かを判定し、入力が終了したと判定するまで待機する。
【００８３】
ユーザが入力部２１５を操作して入力終了を指示し、入力が終了したと判定すると、ＣＰＵ２０１は、ステップＳ５に処理を進め、入力部２１５を制御して、ユーザより個人プロフィール情報の供給を指示されたか否かを判定する。
【００８４】
個人プロフィール情報の入力が完了したユーザは、入力した個人プロフィール情報を情報管理サーバ１１に供給する場合、表示部２１４に表示された画面に従って入力部２１５を制御し、個人プロフィール情報供給の指示を出す。
【００８５】
ステップＳ５において、ユーザより個人プロフィール情報の供給を指示されたと判定した場合、ＣＰＵ２０１は、ステップＳ６に処理を進め、通信部２１２を制御して、ＲＡＭ２０２に保持されている個人プロフィール情報を、ネットワーク２０を介して情報管理サーバ１１に供給する。
【００８６】
図７は、端末装置４１より情報管理サーバ１１に供給される個人プロフィール情報の例を示す図である。図７において、個人プロフィール情報４０１には、「氏名」、「住所」、「電話番号」、「年齢」、「性別」、「職種」、情報センタが対価を支払う「振込先情報」、および、「提供可能情報」等の情報が含まれている。
【００８７】
これらの情報は、情報管理サーバ１１より供給された入力フォーム情報に対応する入力画面に従って入力された情報である。これらの情報の種類は、情報管理サーバ１１により予め決められており、入力フォーム情報に登録されている。
【００８８】
なお、個人プロフィール情報４０１に含まれる情報は、上述した以外の情報が含まれていてもよく、例えば、ユーザの趣味や嗜好に関する情報や、端末装置の機種名等の情報が含まれていてもよい。
【００８９】
また、例えば、別の方法によりユーザを特定できる場合においては、それらの情報を個人プロフィール情報に含めないようにしてもよい。例えば、端末装置４１が携帯電話機であり、ユーザが電話会社と契約しているような場合、図７に示される個人プロフィール情報４０１に含まれる「氏名」や「住所」等の情報は、個人プロフィール情報４０１に含めないようにしてもよい。
【００９０】
図６に戻り、個人プロフィール情報を取得した情報管理サーバ１１は、後述するように、取得した個人プロフィール情報に基づいて、端末装置４１のユーザを情報提供者として登録し、提供者ＩＤを生成し、その提供者ＩＤを含むＩＤ情報を、ネットワーク２０を介して端末装置４１に供給する。
【００９１】
端末装置４１のＣＰＵ２０１は、ステップＳ７において、通信部２１２を制御して、情報管理サーバ１１よりＩＤ情報を取得したか否かを判定し、取得したと判定するまで待機する。そして、通信部２１２が、ＩＤ情報を取得したと判定した場合、ＣＰＵ２０１は、取得したＩＤ情報を記憶部２１１に記憶させ、個人プロフィール情報供給処理を終了する。
【００９２】
また、ステップＳ５において、ユーザが入力部２１５を操作して、供給拒否の指示を出すなどして、個人プロフィール情報の供給を指示されていないと判定した場合、ＣＰＵ２０１は、ステップＳ８に処理を進め、入力部２１５を制御して、ユーザからの指示を検知し、個人プロフィール情報の再入力を指示されたか否かを判定する。
【００９３】
ユーザにより再入力を指示されたと判定した場合、ＣＰＵ２０１は、処理をステップＳ３に戻し、それ以降の処理を繰り返す。すなわち、再度、表示部２１４に入力画面を表示させ、入力部２１５を制御して、ユーザからの入力の受け付けを開始する。
【００９４】
また、ステップＳ８において、ユーザが入力部を操作して終了を指示するなどし、ユーザにより再入力を指示されていないと判定した場合、ＣＰＵ２０１は、処理をステップＳ９に進め、入力部２１５を制御して、ユーザからの指示を検知し、個人プロフィール情報の保存を指示されたか否かを判定する。
【００９５】
ユーザにより保存を指示されたと判定した場合、ＣＰＵ２０１は、ステップＳ１０に処理を進め、ＲＡＭ２０２に保持されている個人プロフィール情報を記憶部２１１に保存し、個人プロフィール情報供給処理を終了する。
【００９６】
また、ユーザにより保存を指示されていないと判定した場合、ＣＰＵ２０１は、ステップＳ１０の処理を省略し、個人プロフィール情報供給処理を終了する。
【００９７】
以上のようにして、端末装置４１は、個人プロフィール情報を情報管理サーバ１１に供給する。
【００９８】
なお、以上においては、個人プロフィール情報を情報管理サーバ１１に供給し、新たに登録させる処理について説明したが、情報管理サーバ１１に登録されている個人プロフィール情報を更新する場合も、上述した処理と同様の処理により行われる。
【００９９】
次に、上述した端末装置４１による個人プロフィール情報供給処理に対応して実行される、情報管理サーバ１１による個人プロフィール情報登録処理について、図８のフローチャートを参照して説明する。
【０１００】
最初に、ステップＳ３１において、情報管理サーバ１１のＣＰＵ１０１は、通信部１２４を制御して、ネットワーク２０を介してアクセスを受けたか否かを判定し、受けたと判定するまで待機する。
【０１０１】
図６のステップＳ１の処理により、端末装置４１のＣＰＵ２０１が通信部２１２を制御して、情報管理サーバ１１にアクセスし、通信部１２４がアクセスを受けたと判定した場合、ＣＰＵ１０１は、ステップＳ３２に処理を進め、記憶部１２３に記憶されている入力フォーム情報を、通信部１２４を制御して、アクセスしてきた端末装置４１に供給する。
【０１０２】
供給された入力フォーム情報は、図６のステップＳ２の処理により、端末装置４１に取得される。そして、入力フォーム情報を取得した端末装置４１のＣＰＵ２０１は、図６のステップＳ６の処理において、通信部２１２を制御して、個人プロフィール情報を情報管理サーバ１１に供給する。
【０１０３】
入力フォーム情報を供給した情報管理サーバ１１のＣＰＵ１０１は、ステップＳ３３において、通信部１２４を制御して、個人プロフィール情報を取得したか否かを判定し、取得したと判定するまで待機する。
【０１０４】
端末装置４１より個人プロフィール情報がネットワーク２０を介して供給され、通信部１２４が取得したと判定した場合、ＣＰＵ１０１は、ステップＳ３４に進み、取得した個人プロフィール情報に対応するＩＤ情報を生成する。ＩＤ情報は、登録されている情報提供者を識別するための提供者ＩＤを含む情報であり、個人プロフィール情報を供給した端末装置４１のユーザに対するＩＤとして生成される。
【０１０５】
そして、ＣＰＵ１０１は、ステップＳ３５において、通信部１２４を制御して、生成したＩＤ情報を、ネットワーク２０を介して端末装置４１に供給する。端末装置４１のＣＰＵ２０１は、図６のステップＳ７の処理により、通信部２１２を制御して、ＩＤ情報を取得する。
【０１０６】
ＩＤ情報を供給したＣＰＵ１０１は、ステップＳ３６において、個人プロフィール情報に基づいて、個人保存情報を生成し、ステップＳ３７において、生成した個人保存情報を個人情報データベース１３２に保存し、個人プロフィール情報登録処理を終了する。
【０１０７】
図９は、個人情報データベース１３２に保存される個人保存情報の構成例を示す図である。
【０１０８】
図９において、個人情報データベース１３２に保存される個人保存情報４１１は、「提供者ＩＤ」、「氏名」、「住所」、および「年齢」等の予め決められた項目をリスト化したものである。「提供者ＩＤ」は、端末装置４１より供給された個人プロフィール情報に対応させて生成されたＩＤ情報に含まれる提供者ＩＤであり、「氏名」、「住所」、および「年齢」等の、それ以外の情報は、提供者ＩＤに対応する個人プロフィール情報より抽出された情報である。
【０１０９】
以上のようにして、情報管理サーバ１１は、供給された個人プロフィール情報に基づいて、端末装置４１のユーザを情報提供者４０として登録する。
【０１１０】
情報センタ１０の情報管理サーバ１１に登録された情報提供者４０は、センサ情報を提供しない場合、端末装置４１の情報送信管理部２０４に設けられたスイッチ２０４Ａをオフにしておく。これにより、情報送信管理部２０４が、センサ情報を提供する処理を実行させないように、端末装置４１の各部を制御する。
【０１１１】
また、センサ情報を提供する場合、情報提供者４０は、端末装置４１の情報送信管理部２０４に設けられたスイッチ２０４Ａをオンにする。スイッチ２０４Ａがオンにされると、情報送信管理部２０４は、制御情報をＣＰＵ２０１に供給し、センサ情報の提供が可能であることを通知する。
【０１１２】
ＣＰＵ１０１は、この制御情報を取得し、センサ情報の提供が可能であると判定すると、センサ情報供給処理を実行する。端末装置４１によるセンサ情報供給処理について、図１０のフローチャートを参照して説明する。
【０１１３】
最初に、ステップＳ５１において、端末装置４１のＣＰＵ２０１は、提供情報の設定を行う。そして、ＣＰＵ２０１は、ステップＳ５２において、記憶部２１１に記憶されている情報を読み出し、情報提供開始要求を生成し、通信部２１２を制御して、生成した情報提供開始要求を、ネットワーク２０を介して情報管理サーバ１１に供給する。
【０１１４】
図１１は、情報提供開始要求の構成例を示す図である。図１１において、情報提供開始要求４２１には、情報管理サーバ１１に割り当てられた「提供者ＩＤ」、提供する情報等の情報の提供に関する情報である「提供関連情報」等の情報が含まれている。これらの情報は、ＣＰＵ２０１が、記憶部２１１に予め記憶されている情報を取得したり、ステップＳ５１の処理により生成されたりして用意される。そして、これらの情報は、ステップＳ５２の処理において、情報提供開始要求としてまとめられ、情報管理サーバ１１に供給される。
【０１１５】
以上のような情報提供開始要求を取得した情報管理サーバ１１は、後述するように、取得した情報提供開始要求に基づいて、個人情報を検索し、情報提供者の認証処理を行う。そして、情報提供開始要求に対応する情報提供者が認証されると、情報を提供するのに必要な通信情報を端末装置４１に供給する。
【０１１６】
図１２は、通信情報の構成例を示す図である。図１２において、通信情報４３１には、今回のセッションを特定するセッション毎のＩＤである「通信ＩＤ」、このセッションにおいて用いられる暗号化鍵に関する情報である「暗号化鍵情報」等の情報が含まれている。
【０１１７】
情報を提供する端末装置４１は、この通信情報４３１を取得すると、通信情報４３１に含まれる「通信ＩＤ」を、供給するセンサ情報に付加し、この「通信ＩＤ」が付加されたセンサ情報を、通信情報４３１に含まれる「暗号化鍵情報」の暗号化鍵を用いて暗号化してから情報管理サーバ１１に供給する。
【０１１８】
図１０に戻り、情報提供開始要求を供給した端末装置４１のＣＰＵ２０１は、ステップＳ５３において、通信部２１２を制御して、情報管理サーバ１１より供給される通信情報を取得したか否かを判定し、取得したと判定するまで待機する。
【０１１９】
通信部２１２が通信情報を取得したと判定した場合、ＣＰＵ２０１は、取得した通信情報をＲＡＭ２０２に供給し、処理をステップＳ５４に進め、センサ制御部２１６を制御して、ＧＰＳモジュール４１を動作させて測地衛星から供給される電波を受信させ、その受信した情報をセンサ制御部２１６を介して、センサ情報として取得する。
【０１２０】
ＣＰＵ２０１は、取得したセンサ情報に、ＲＡＭ２０２に保持されている通信情報に含まれる情報を付加した後、ステップＳ５５において、通信部２１２を制御して、センサ情報を、ネットワーク２０を介して情報管理サーバ１１に供給する。
【０１２１】
図１３は、情報管理サーバ１１に供給されるセンサ情報の構成例を示す図である。
【０１２２】
図１３において、センサ情報４４１は、ヘッダ部４４２およびデータ部４４３により構成される。ヘッダ部４４２には、通信情報４３１に含まれる、このセッションを識別する通信ＩＤや、提供される情報の情報数等のセンサ情報に関する情報が含まれる。また、データ部４４３は、ヘッダ部４４２に記録された情報数の数の情報と、それらの情報を識別するためのＩＤである種類ＩＤが対応させて記録されている。
【０１２３】
情報管理サーバ１１は、以上のようなセンサ情報４４１を取得すると、保存用のデータ構成に編集し、保存する。端末装置４１のＣＰＵ１１は、情報送信管理部２０４に設けられたスイッチ２０４Ａがオンにされている間、以上のようなセンサ情報を所定の間隔で定期的に、或いは不定期に情報管理サーバ１１に供給する。
【０１２４】
この状態において、ユーザが端末装置４１の情報送信管理部２０４に設けられたスイッチ２０４Ａをオフにすると、情報送信管理部２０４は、ＣＰＵ２０１にセンサ情報の提供を終了させる制御情報を供給する。そして、その制御情報を取得したＣＰＵ２０１は、センサ情報供給処理の終了処理を開始する。
【０１２５】
図１０に戻り、センサ情報を供給したＣＰＵ２０１は、ステップＳ５６において、情報送信管理部２０４より供給される制御情報に基づいて、ユーザがスイッチ２０４Ａをオフにしたか否かを検知し、ユーザによりセンサ情報供給の終了を指示されたか否かを判定する。
【０１２６】
情報送信管理部２０４より、ユーザがスイッチ２０４Ａをオフにしたことを示す制御情報を取得しておらず、ユーザによりセンサ情報供給の終了を指示されていないと判定した場合、ＣＰＵ２０１は、ステップＳ５４に処理を戻し、それ以降の処理を繰り返す。
【０１２７】
また、情報送信管理部２０４より、ユーザがスイッチ２０４Ａをオフにしたことを示す制御情報を取得し、ユーザによりセンサ情報供給の終了を指示されたと判定した場合、ＣＰＵ２０１は、ステップＳ５７に処理を進め、情報管理サーバ１１に情報提供の終了を要求する情報提供終了要求を生成し、通信部２１２を制御して、生成した情報提供終了要求を、ネットワーク２０を介して情報管理サーバ１１に供給する。
【０１２８】
すなわち、端末装置４１のＣＰＵ２０１は、ステップＳ５６において、情報送信管理部２０４より、ユーザがスイッチ２０４Ａをオフにしたことを示す制御情報を取得したか否かを判定し、取得していないと判定した場合、ステップＳ５４乃至Ｓ５６の処理を繰り返し、ＧＰＳモジュール４１Ａより取得したセンサ情報を情報管理サーバ１１に供給し続ける。そして、ステップＳ５６において、情報送信管理部２０４より、ユーザがスイッチ２０４Ａをオフにしたことを示す制御情報を取得したと判定すると、ステップＳ５７の処理を実行し、通信部２１２を制御して、情報提供終了要求を情報管理サーバ１１に供給する。
【０１２９】
情報提供終了要求を取得した情報管理サーバ１１は、後述するように、セッションを正常に閉じるためにＡＣＫ（ＡＣＫｎｏｗｌｅｄｇｅｍｅｎｔ）を、ネットワーク２０を介して、端末装置４１に供給する。
【０１３０】
端末装置４１のＣＰＵ２０１は、ステップＳ５８において、通信部２１２を制御し、情報管理サーバ１１より供給されるＡＣＫを取得したか否かを判定し、取得したと判定するまで待機する。そして、通信部２１２がＡＣＫを取得したと判定した場合、ＣＰＵ２０１は、センサ情報供給処理を終了する。
【０１３１】
以上のようにして、端末装置４１は、ＧＰＳモジュール４１Ａにより取得した信号からセンサ情報を生成し、そのセンサ情報を情報管理サーバ１１に供給する。
【０１３２】
以上において説明したセンサ情報供給処理に対応して、情報管理サーバ１１のＣＰＵ１０１は、センサ情報取得処理を実行する。図１４のフローチャートを参照して、情報管理サーバ１１によるセンサ情報取得処理を説明する。
【０１３３】
最初に、ステップＳ７１において、情報管理サーバ１１のＣＰＵ１０１は、通信部１２４を制御して、情報提供開始要求を取得したか否かを判定し、取得したと判定するまで待機する。端末装置４１は、図１０のステップＳ５２の処理により、情報提供開始要求を、ネットワーク２０を介して情報管理サーバ１１に供給する。情報管理サーバ１１のＣＰＵ１０１は、この情報提供開始要求を通信部１２４が取得したか否かを判定する。
【０１３４】
通信部１２４が情報提供開始要求を取得したと判定した場合、ＣＰＵ１０１は、処理をステップＳ７２に進め、取得した情報提供開始要求をＲＡＭ１０３に保持させ、個人情報データベース１３２を制御して、ＲＡＭ１０３が保持している情報提供開始要求に基づいて、情報提供開始要求に含まれる提供者ＩＤに対応する個人情報を検索させる。
【０１３５】
個人情報データベース１３２は、図９に示すように、個人保存情報４１１が登録されており、この個人保存情報４１１に含まれる提供者ＩＤを参照し、情報提供開始要求に対応する個人情報を検索する。そして、個人情報データベース１３２は、対応する個人情報を検索すると、その検索された個人情報を検索結果としてＣＰＵ１０１に供給する。
【０１３６】
ＣＰＵ１０１は、ステップＳ７３において、検索結果である個人情報を取得したか否かを判定する。すなわち、情報提供開始要求を取得した情報管理サーバ１１のＣＰＵ１０１は、ステップＳ７２およびＳ７３の処理において、情報提供開始要求を供給した端末装置４１のユーザの認証処理を行う。
【０１３７】
個人情報データベース１３２より、情報提供開始要求に対応する個人情報を取得したと判定した場合、ＣＰＵ１０１は、処理をステップＳ７４に進め、このセッションに対応する、図１２に示されるような通信情報４３１を生成する。そして、ＣＰＵ１０１は、ステップＳ７５において、通信部１２４を制御して、生成した通信情報４３１を、ネットワーク２０を介して端末装置４１に供給する。
【０１３８】
供給された通信情報は、図１０のステップＳ５３の処理において、端末装置４１に取得される。通信情報を供給したＣＰＵ１０１は、通信部１２４を制御して、センサ情報の取得を開始する。
【０１３９】
ステップＳ７６において、ＣＰＵ１０１は、通信部１２４を制御して、図１０のステップＳ５７の処理において端末装置４１より供給される情報提供終了要求を取得したか否かを判定する。通信部１２４が情報提供終了要求を取得していないと判定した場合、ＣＰＵ１０１は、処理をステップＳ７７に進め、通信部１２４を制御して、図１０のステップＳ５５の処理において端末装置４１より供給されるセンサ情報を取得したか否かを判定し、取得したと判定するまで待機する。
【０１４０】
センサ情報を取得したと判定した場合、ＣＰＵ１０１は、処理をステップＳ７８に進め、取得したセンサ情報をＲＡＭ１０３に保持させ、「セッションＩＤ」および「タイムスタンプ」等の情報を付加して、そのセンサ情報より、センサ情報データベース１３１に保存するセンサ保存情報を生成する。
【０１４１】
センサ保存情報を生成したＣＰＵ１０１は、ステップＳ７９において、生成したセンサ保存情報をセンサ情報データベース１３１に保存し、処理をステップＳ７６に戻し、それ以降の処理を繰り返す。
【０１４２】
図１５は、センサ情報データベース１３１に保存されているセンサ保存情報の構成例を示す図である。
【０１４３】
図１５において、センサ情報データベース１３１に保存されているセンサ保存情報４５１は、センサ情報を取得したセッションを識別する「セッションＩＤ」、センサ情報を取得した日時を示す「タイムスタンプ」、センサ情報の種類を示す「種類ＩＤ」、および情報提供者の「性別」等の予め決められた項目をリスト化したものである。「セッションＩＤ」および「タイムスタンプ」は、ＣＰＵ１０１がセンサ情報よりセンサ保存情報を生成する際に付加される情報であり、「種類ＩＤ」および「性別」等の、それ以外の情報は、ＣＰＵ１０１によりセンサ情報より抽出された情報である。
【０１４４】
図１４に戻り、ＣＰＵ１０１は、通信部１２４が端末装置４１より供給されたセンサ情報を取得する度に、ステップＳ７６乃至Ｓ７９の処理を繰り返し、取得したセンサ情報をセンサ情報データベース１３１に保存していく。
【０１４５】
そして、ステップＳ７６において、通信部１２４が端末装置４１より供給された情報提供終了情報を取得したと判定した場合、ＣＰＵ１０１は、ステップＳ８０に処理を進め、セッションを正常に閉じるために、通信部１２４を制御して、ＡＣＫを、ネットワーク２０を介して端末装置４１に供給し、セッションを閉じた後、センサ情報取得処理を終了する。
【０１４６】
また、ステップＳ７３において、供給された情報提供開始要求に対応する個人情報が、個人情報データベース１３２に保存されておらず、その個人情報を取得していないと判定した場合、ＣＰＵ１０１は、処理をステップＳ８１に進め、所定のエラー処理を行い、センサ情報取得処理を終了する。
【０１４７】
以上のようにして、情報管理サーバ１１は、供給されたセンサ情報を取得し、保存する。
【０１４８】
以上のようにして蓄積されたセンサ情報は、情報利用者５０の要求に基づいて、ネットワーク２０を介して端末装置５１に供給される。情報利用者５０は、端末装置５１のユーザであり、予め情報管理サーバ１１に登録されている。情報利用者の登録方法は、図６乃至図９において説明した情報提供者の場合と同様の方法であるので、その説明は省略する。また、電話連絡や書類送付等のその他の方法を用いて登録するようにしてもよい。
【０１４９】
このように予め情報管理サーバ１１に情報利用者５０として登録されている端末装置５１のユーザは、端末装置５１を操作し、情報センタ１０の情報管理サーバ１１に対して、情報を要求する。情報利用者５０に操作された端末装置５１は、最寄りの基地局３１と無線通信を行い、ネットワーク２０を介して、情報管理サーバ１１にアクセスし、情報を要求する。
【０１５０】
図１６のフローチャートを参照して、端末装置５１による統計情報要求処理について説明する。
【０１５１】
端末装置５１のＣＰＵ３０１は、最初に、ステップＳ１０１において、ユーザの指示に基づいて、統計情報を要求する統計情報要求を生成し、通信部３１２を制御して、生成した統計情報要求を、ネットワーク２０を介して情報管理サーバ１１に供給する。統計情報要求には、情報利用者５０に対して予め割り当てられた利用者ＩＤが含まれている。
【０１５２】
統計情報要求を供給された情報管理サーバ１１は、後述するように、要求された統計情報を生成し、ネットワーク２０を介して端末装置５１に供給する。
【０１５３】
端末装置５１のＣＰＵ３０１は、ステップＳ１０２において、通信部３１２を制御して、情報管理サーバ１１より供給された統計情報を取得したか否かを判定し、取得したと判定するまで待機する。
【０１５４】
通信部３１２が統計情報を取得したと判定すると、ＣＰＵ３０１は、取得した統計情報をＲＡＭ３０２に保持させ、処理をステップＳ１０３に進め、表示部３１４を制御して、取得した統計情報に対応する画像を表示させる。表示部３１４は、ＣＰＵ３０１に制御され、例えば、表、グラフ、または図形等の、統計情報に対応する画像をディスプレイに表示する。情報利用者５０は、表示された画像により要求した情報を得ることができる。
【０１５５】
そして、情報利用者５０は、統計情報を保存させる場合、ディスプレイに表示された画像に従って入力部３１５を操作し、統計情報保存の指示を出す。
【０１５６】
ステップＳ１０４において、ＣＰＵ３０１は、入力部３１５を制御して、統計情報の保存が指示されたか否かを判定する。ユーザである情報利用者５０が入力部３１５を操作することにより、統計情報の保存が指示されたと判定した場合、ＣＰＵ３０１は、処理をステップＳ１０５に進め、ＲＡＭ３０２に保持されている統計情報を記憶部３１１に保存する。統計情報を保存させたＣＰＵ３０１は、処理をステップＳ１０６に進める。
【０１５７】
また、ステップＳ１０４において、入力部３１２が操作されておらず、統計情報の保存を指示されていないと判定した場合、ＣＰＵ３０１は、ステップＳ１０５の処理を省略し、処理をステップＳ１０６に進める。
【０１５８】
ステップＳ１０６において、ＣＰＵ３０１は、入力部３１５を制御して、統計情報要求処理の終了を指示されたか否かを判定する。入力部３１５が操作されておらず、ユーザにより統計情報要求処理の終了を指示されていないと判定した場合、ＣＰＵ３０１は、処理をステップＳ１０３に戻し、それ以降の処理を繰り返す。
【０１５９】
また、ステップＳ１０６において、終了を指示されたと判定した場合、ＣＰＵ３０１は、統計情報要求処理を終了する。
【０１６０】
以上のようにして、情報利用者５０の操作する端末装置５１は、情報管理サーバ１１に統計情報を要求する。
【０１６１】
情報を要求された情報管理サーバ１１は、蓄積してあるセンサ情報の中から該当する情報を抽出し、そのセンサ情報に所定の統計処理を施し、統計情報を生成する。そして、情報管理サーバ１１は、生成した統計情報を、要求元である端末装置５１に供給する。
【０１６２】
次に、上述した統計情報要求処理に対応して、情報管理サーバ１１により実行される統計情報供給処理について、図１７のフローチャートを参照して説明する。
【０１６３】
最初に、ステップＳ１２１において、情報管理サーバ１１のＣＰＵ１０１は、通信部３１２を制御して、統計情報要求を取得したか否かを判定し、取得したと判定するまで待機する。
【０１６４】
そして、図１６のステップＳ１０１の処理において端末装置５１が、統計情報を情報管理サーバ１１に供給し、通信部１２４がその供給された統計情報要求を取得したと判定した場合、ＣＰＵ１０１は、処理をステップＳ１２２に進め、取得した統計情報要求をＲＡＭ１０３に保持させ、個人情報データベース１３２を制御して、ＲＡＭ１０３が保持している統計情報要求に基づいて、統計情報要求に含まれる利用者ＩＤに対応する個人情報を検索させる。
【０１６５】
個人情報データベース１３２は、図９に示す情報提供者の場合と同様に、情報利用者の個人保存情報が登録されており、この個人保存情報に含まれる利用者ＩＤを参照し、統計情報要求に対応する個人情報を検索する。そして、個人情報データベース１３２は、対応する個人情報を検索すると、その検索された個人情報を検索結果としてＣＰＵ１０１に供給する。
【０１６６】
ＣＰＵ１０１は、ステップＳ１２３において、検索結果である個人情報を取得したか否かを判定する。すなわち、統計情報要求を取得した情報管理サーバ１１のＣＰＵ１０１は、ステップＳ１２２およびＳ１２３の処理において、統計情報要求を供給した端末装置５１のユーザの認証処理を行う。
【０１６７】
個人情報データベース１３２より、統計情報要求に対応する個人情報を取得したと判定した場合、ＣＰＵ１０１は、処理をステップＳ１２４に進め、センサ情報データベース１３１を制御して、その統計情報要求に対応するセンサ情報を検索させ、検索結果である複数のセンサ情報からなるセンサ情報群を取得し、ＲＡＭ１０３に保持させる。
【０１６８】
該当するセンサ情報群を取得したＣＰＵ１０１は、ステップＳ１２５において、記憶部１２３に記憶されている、統計処理を行うための計算情報を取得し、ＲＡＭ１０３に保持させる。
【０１６９】
そして、ステップＳ１２６において、ＣＰＵ１０１は、ＲＡＭ１０３に保持されている計算情報およびセンサ情報群を統計処理部１０５に供給し、統計処理部１０５を制御して統計処理を行い、処理結果である統計情報を取得する。
【０１７０】
統計情報を取得したＣＰＵ１０１は、ステップＳ１２７において、通信部１２４を制御して、生成した統計情報を、ネットワーク２０を介して端末装置５１に供給する。供給された統計情報は、図１６のステップＳ１０２の処理により、端末装置５１に取得される。
【０１７１】
統計情報を供給すると、ＣＰＵ１０１は、処理をステップＳ１２８に進め、対価計算部１０６を制御して情報料を算出させ、供給した統計情報に対する課金処理を行う。
【０１７２】
例えば、対価計算部１０６は、ＣＰＵ１０１に制御され、供給した統計情報の情報量応じて、情報料を算出し、ＣＰＵ１０１に算出結果を供給する。そして、ＣＰＵ１０１は、ＲＡＭ１０３に保持されている個人情報を用いて、情報利用者５０に対して、課金処理を行う。課金処理の結果等の情報は、ＣＰＵ１０１により、記憶部１２３に保存される。なお、それ以外にも、課金処理の結果等の情報は、情報利用者毎にまとめられ、個人情報データベース１３２に保存されるようにしてもよい。課金処理を終了したＣＰＵ１０１は、統計情報供給処理を終了する。
【０１７３】
また、ステップＳ１２３において、統計情報要求に対応する個人情報を取得していないと判定した場合、ＣＰＵ１０１は、ステップＳ１２９に処理を進め、エラー処理を行い、統計情報供給処理を終了する。
【０１７４】
以上のようにして、情報管理サーバ１１は、取得した統計情報要求に対する統計情報を供給する。
【０１７５】
以上のように、統計情報を情報利用者５０に供給し、情報料を課金した情報管理サーバ１１は、徴収した情報料の内、所定の割合を情報提供者に還元する。すなわち、情報管理サーバ１１は、例えば、１ヶ月毎等、所定の期間毎に対価算出処理を実行して、情報利用者より徴収した情報料の合計金額を算出し、算出された合計情報料の所定の割合を、供給された情報量に応じて、情報提供者に対して配分する。
【０１７６】
情報管理サーバ１１による対価算出処理について、図１８のフローチャートを参照して説明する。
【０１７７】
最初に、情報管理サーバ１１のＣＰＵ１０１は、記憶部１２３に保存されている課金処理結果に関する情報を取得し、対価計算部１０６に供給する。対価計算部１０６は、ステップＳ１３１において、供給された課金処理結果に関する情報に基づいて、徴収された情報料の合計金額である合計情報利用料を情報毎に算出する。
【０１７８】
そして、ステップＳ１３２において、ＣＰＵ１０１は、センサ情報データベース１３１に、対象となるセンサ情報を検索させ、取得し、対価計算部１０６に供給する。
【０１７９】
センサ情報を供給された対価計算部１０６は、ステップＳ１３３において、取得したセンサ情報より、述べ情報提供時間（情報量）を算出し、ステップＳ１３４において、以下の式（１）のように、情報単価を算出する。
【０１８０】
【数１】
2004029940.tif 000003
【０１８１】
すなわち、対価計算部１０６は、対象となる情報に対して、１ヶ月間に徴収された、その情報に対する情報料の合計金額を算出し、予め定められた所定の割合である再配分率を乗算して合計金額から情報センタ１０の手数料を減算し、センサ情報データベース１３１より供給されたセンサ情報に基づいて、その情報が提供された延べ時間（情報量）を除算する。
【０１８２】
これにより、対価計算部１０６は、所定の情報提供時間（情報量）を単位とする情報単価を算出することができる。
【０１８３】
情報単価を算出した対価計算部１０６は、ステップＳ１３５において、情報提供者毎の情報提供時間（情報量）を算出し、それぞれに情報単価を乗算して、情報提供者毎に、その情報に対する対価金額を算出する。
【０１８４】
対価計算部１０６は、以上のようにして情報提供者毎に算出された、情報毎の対価金額を、ＲＡＭ１０３に供給し、保持させる。
【０１８５】
ＣＰＵ１０１は、ステップＳ１３６において、ＲＡＭ１０３に保持されている、情報提供者毎に算出された、情報毎の対価金額に基づいて、各情報提供者に対して、所定の方法により、対価の支払い処理を行う。
【０１８６】
対価の支払方法は、現金を情報提供者に指定された振込先に振り込むようにしてもよいし、例えば、電子マネー、サービスポイント、通信料金、商品券等の、金額に応じた品物またはサービス等を用いて情報提供者に還元するようにしてもよい。
【０１８７】
以上のようにして、情報管理サーバ１１は、提供された情報に対する対価を算出する。
【０１８８】
なお、以上においては、情報管理サーバ１１は、１ヶ月ごとに、上述した対価算出処理を実行するように説明したが、これに限らず、例えば、１年毎、１週間毎、３日毎、または毎日等どのような期間で実行するようにしてもよい。
【０１８９】
なお、以上においては、情報を提供する情報提供者４０は、個人プロフィール情報を情報管理サーバ１１に予め登録するように説明したが、これに限らず、例えば、情報提供者４０が、端末装置４１を操作して、センサ情報を情報管理サーバ１１に供給する際に、個人プロフィール情報を情報管理サーバ１１に供給するようにしてもよい。
【０１９０】
図１９および図２０のフローチャートを参照して、その場合のセンサ情報供給処理について説明する。
【０１９１】
最初に、端末装置４１のＣＰＵ２０１は、ステップＳ１４１において、図６のステップＳ１の場合と同様に、通信部２１２を制御して最寄りの基地局３１と無線通信を行わせ、ネットワーク２０を介して情報管理サーバ１１にアクセスする。アクセスされた情報管理サーバ１１は、後述するように、個人プロフィール情報を入力するためのＧＵＩからなる入力フォーム情報を、アクセスしてきた端末装置４１に供給する。
【０１９２】
情報管理サーバ１１にアクセスしたＣＰＵ２０１は、ステップＳ１４２において、図６のステップＳ２の場合と同様に、通信部２１２を制御して、情報管理サーバ１１より入力フォーム情報を取得したか否かを判定し、取得したと判定するまで待機する。
【０１９３】
そして、通信部２１２が入力フォーム情報を取得したと判定した場合、ＣＰＵ２０１は、ステップＳ１４３に処理を進め、取得した入力フォーム情報を表示部２１４に供給し、表示部２１４を制御して、入力フォーム情報に対応する入力画面を表示させ、入力部２１５を制御して、ユーザによる入力の受け付けを開始する。なお、この処理は、図６のステップＳ３に対応する。
【０１９４】
ユーザは、表示部２１４に表示された入力画面に従って、氏名、住所、または連絡先等の個人プロフィール情報を、入力部２１５を操作して入力する。ＣＰＵ２０１は、入力部２１５を制御して、入力された個人プロフィール情報をＲＡＭ２０２に供給させ、ＲＡＭ２０２に保持させる。そして、個人プロフィール情報の入力が完了すると、ユーザは、入力部２１５を操作して、入力終了の指示を出す。
【０１９５】
ステップＳ１４４において、ＣＰＵ２０１は、図６のステップＳ４の場合と同様に、入力部２１５を制御して、ユーザからの指示を検知することにより、入力が終了したか否かを判定し、入力が終了したと判定するまで待機する。
【０１９６】
ユーザが入力部２１５を操作して入力終了を指示し、入力が終了したと判定すると、ＣＰＵ２０１は、ステップＳ１４５に処理を進め、図６のステップＳ５の場合と同様に、入力部２１５を制御して、ユーザより個人プロフィール情報の供給を指示されたか否かを判定する。
【０１９７】
ユーザが入力部２１５を操作して、供給拒否の指示を出すなどして、個人プロフィール情報の供給を指示されていないと判定した場合、ＣＰＵ２０１は、ステップＳ１４６に処理を進め、図６のステップＳ８の場合と同様に、入力部２１５を制御して、ユーザからの指示を検知し、個人プロフィール情報の再入力を指示されたか否かを判定する。
【０１９８】
ユーザにより再入力を指示されたと判定した場合、ＣＰＵ２０１は、処理をステップＳ１４３に戻し、それ以降の処理を繰り返す。すなわち、再度、表示部２１４に入力画面を表示させ、入力部２１５を制御して、ユーザからの入力の受け付けを開始する。
【０１９９】
また、ステップＳ１４６において、ユーザが入力部を操作して終了を指示するなどし、ユーザにより再入力を指示されていないと判定した場合、ＣＰＵ２０１は、処理をステップＳ１４７に進め、図６のステップＳ９の場合と同様に、入力部２１５を制御して、ユーザからの指示を検知し、個人プロフィール情報の保存を指示されたか否かを判定する。
【０２００】
ユーザにより保存を指示されたと判定した場合、ＣＰＵ２０１は、ステップＳ１４８に処理を進め、図６のステップＳ１４８の場合と同様に、ＲＡＭ２０２に保持されている個人プロフィール情報を記憶部２１１に保存し、センサ情報供給処理を終了する。
【０２０１】
また、ユーザにより保存を指示されていないと判定した場合、ＣＰＵ２０１は、ステップＳ１４８の処理を省略し、個人プロフィール情報供給処理を終了する。
【０２０２】
また、ステップＳ１４５において、ユーザより個人プロフィール情報の供給を指示されたと判定した場合、ＣＰＵ２０１は、図２０のステップＳ１５１に処理を進め、図１０のステップＳ５１の場合と同様に、提供情報の設定を行う。そして、ＣＰＵ２０１は、ステップＳ１５２において、記憶部２１１に記憶されている情報を読み出し、ＲＡＭ１０３に保持されている個人プロフィール情報を付加して情報提供開始要求を生成し、通信部２１２を制御して、生成した情報提供開始要求を、ネットワーク２０を介して情報管理サーバ１１に供給する。
【０２０３】
なお、この情報提供開始要求には、図１１に示される「提供者ＩＤ」の代わりに、図７に示される個人プロフィール情報が付加されている。
【０２０４】
そして、情報提供開始要求を供給した端末装置４１のＣＰＵ２０１は、ステップＳ１５３において、図１０のステップＳ５３の場合と同様に、通信部２１２を制御し、情報提供開始要求に応じて情報管理サーバ１１より供給される通信情報を取得したか否かを判定し、取得したと判定するまで待機する。
【０２０５】
通信部２１２が通信情報を取得したと判定した場合、ＣＰＵ２０１は、取得した通信情報をＲＡＭ２０２に供給し、処理をステップＳ１５４に進め、図１０のステップＳ５４の場合と同様に、センサ制御部２１６を制御して、ＧＰＳモジュール４１を動作させて測地衛星から供給される電波を受信させ、その受信した情報を、センサ制御部２１６を介して、センサ情報として取得する。
【０２０６】
ＣＰＵ２０１は、取得したセンサ情報に、ＲＡＭ２０２に保持されている通信情報に含まれる情報を付加した後、ステップＳ１５５において、図１０のステップＳ５５と同様に、通信部２１２を制御して、センサ情報を、ネットワーク２０を介して情報管理サーバ１１に供給する。
【０２０７】
センサ情報を供給したＣＰＵ２０１は、ステップＳ１５６において、図１０のステップＳ５６の場合と同様に、情報送信管理部２０４より供給される制御情報に基づいて、ユーザがスイッチ２０４Ａをオフにしたか否かを検知し、ユーザによりセンサ情報供給の終了を指示されたか否かを判定する。
【０２０８】
情報送信管理部２０４より、ユーザがスイッチ２０４Ａをオフにしたことを示す制御情報を取得しておらず、ユーザによりセンサ情報供給の終了を指示されていないと判定した場合、ＣＰＵ２０１は、ステップＳ１５４に処理を戻し、それ以降の処理を繰り返す。
【０２０９】
また、情報送信管理部２０４より、ユーザがスイッチ２０４Ａをオフにしたことを示す制御情報を取得し、ユーザによりセンサ情報供給の終了を指示されたと判定した場合、ＣＰＵ２０１は、ステップＳ１５７に処理を進め、図１０のステップＳ５７の場合と同様に、情報管理サーバ１１に情報提供の終了を要求する情報提供終了要求を生成し、通信部２１２を制御して、生成した情報提供終了要求を、ネットワーク２０を介して情報管理サーバ１１に供給する。
【０２１０】
端末装置４１のＣＰＵ２０１は、ステップＳ１５８において、図１０のステップＳ５８の場合と同様に、通信部２１２を制御し、情報管理サーバ１１より供給されるＡＣＫを取得したか否かを判定し、取得したと判定するまで待機する。そして、通信部２１２がＡＣＫを取得したと判定した場合、ＣＰＵ２０１は、センサ情報供給処理を終了する。
【０２１１】
以上のようにして、端末装置４１は、センサ情報とともに、個人プロフィール情報を情報管理サーバ１１に供給する。
【０２１２】
以上において説明したセンサ情報供給処理に対応して、情報管理サーバ１１のＣＰＵ１０１は、図２１に示すようなセンサ情報取得処理を実行する。図２１のフローチャートを参照して、情報管理サーバ１１によるセンサ情報取得処理を説明する。
【０２１３】
最初に、ステップＳ１７１において、情報管理サーバ１１のＣＰＵ１０１は、通信部１２４を制御して、ネットワーク２０を介してアクセスを受けたか否かを判定し、受けたと判定するまで待機する。
【０２１４】
図１９のステップＳ１４１の処理により、端末装置４１のＣＰＵ２０１が通信部２１２を制御して、情報管理サーバ１１にアクセスし、通信部１２４がアクセスを受けたと判定した場合、ＣＰＵ１０１は、ステップＳ１４２に処理を進め、記憶部１２３に記憶されている入力フォーム情報を、通信部１２４を制御して、アクセスしてきた端末装置４１に供給する。
【０２１５】
供給された入力フォーム情報は、図１９のステップＳ１４２の処理により、端末装置４１に取得される。そして、入力フォーム情報を取得した端末装置４１のＣＰＵ２０１は、図２０のステップＳ１５２の処理において、通信部２１２を制御して、情報提供開始要求を情報管理サーバ１１に供給する。
【０２１６】
情報管理サーバ１１のＣＰＵ１０１は、ステップＳ１７３において、図１４のステップＳ７１の場合と同様に、通信部１２４を制御して、情報提供開始要求を取得したか否かを判定し、取得したと判定するまで待機する。
【０２１７】
通信部１２４が情報提供開始要求を取得したと判定した場合、ＣＰＵ１０１は、取得した情報提供開始要求をＲＡＭ１０３に保持させ、処理をステップＳ１７４に進め、図１４のステップＳ７４の場合と同様に、このセッションに対応する、通信情報を生成する。そして、ＣＰＵ１０１は、ステップＳ１７５において、図１４のステップＳ７５の場合と同様に、通信部１２４を制御して、生成した通信情報を、ネットワーク２０を介して端末装置４１に供給する。
【０２１８】
供給された通信情報は、図２０のステップＳ１５３の処理において、端末装置４１に取得される。通信情報を供給したＣＰＵ１０１は、通信部１２４を制御して、センサ情報の取得を開始する。
【０２１９】
ステップＳ１７６において、ＣＰＵ１０１は、図１４のステップＳ７６の場合と同様に、通信部１２４を制御して、端末装置４１より供給される情報提供終了要求を取得したか否かを判定する。通信部１２４が情報提供終了要求を取得していないと判定した場合、ＣＰＵ１０１は、処理をステップＳ１７７に進め、図１４のステップＳ７７の場合と同様に、通信部１２４を制御して、端末装置４１より供給されるセンサ情報を取得したか否かを判定し、取得したと判定するまで待機する。
【０２２０】
センサ情報を取得したと判定した場合、ＣＰＵ１０１は、処理をステップＳ１７８に進め、図１４のステップＳ７８の場合と同様に、取得したセンサ情報をＲＡＭ１０３に保持させ、「セッションＩＤ」および「タイムスタンプ」等の情報、および、情報提供開始要求に付加された個人プロフィール情報を付加して、そのセンサ情報より、センサ情報データベース１３１に保存するセンサ保存情報を生成する。
【０２２１】
センサ保存情報を生成したＣＰＵ１０１は、ステップＳ１７９において、図１４のステップＳ７９の場合と同様に、生成したセンサ保存情報をセンサ情報データベース１３１に保存し、処理をステップＳ１７６に戻し、それ以降の処理を繰り返す。
【０２２２】
ＣＰＵ１０１は、通信部１２４が端末装置４１より供給されたセンサ情報を取得する度に、ステップＳ１７６乃至Ｓ１７９の処理を繰り返し、取得したセンサ情報をセンサ情報データベース１３１に保存していく。
【０２２３】
そして、ステップＳ１７６において、通信部１２４が端末装置４１より供給された情報提供終了情報を取得したと判定した場合、ＣＰＵ１０１は、ステップＳ１８０に処理を進め、図１４のステップＳ８０の場合と同様に、セッションを正常に閉じるために、通信部１２４を制御して、ＡＣＫを、ネットワーク２０を介して端末装置４１に供給し、セッションを閉じた後、センサ情報取得処理を終了する。
【０２２４】
以上のようにして、情報管理サーバ１１は、供給されたセンサ情報を取得し、保存する。
【０２２５】
図１に示される例の場合、端末情報４１は、ＧＰＳモジュール４１Ａを用いて、測地衛星からの電波を取得し、その信号をセンサ情報として、ネットワーク２０を介して情報センタ１０の情報管理サーバ１１に供給する。情報管理サーバ１１は、そのセンサ情報を蓄積し、情報利用者５０が操作する端末装置５１からの要求に基づいて、蓄積したセンサ情報より統計情報を算出する。
【０２２６】
例えば、情報管理サーバ１１は、測地衛星からの電波信号であるセンサ情報より、位置情報を生成し、以下の式（２）のような計算処理を行い、エリア毎の情報提供者４０の存在率（すなわち、所定の期間における人口密度）を算出する。
【０２２７】
【数２】
2004029940.tif 000004
【０２２８】
すなわち、情報管理サーバ１１の統計処理部１０５は、供給されたセンサ情報群に基づいて、センサ情報を提供した情報提供者達が、指定された所定の地域に存在した時間を延べ時間で算出し、さらに、その地域をさらに細かく分割したエリア毎の存在時間を延べ時間で算出する。
【０２２９】
そして、統計処理部１０５は、エリア毎の延べ存在時間を、地域全体の延べ存在時間で除算することにより、エリア単位の存在率を算出する。
【０２３０】
以上のようにして算出された統計情報は、情報を要求元である端末装置５１に供給される。端末装置５１は、統計情報を取得すると、図２２に示すように、取得した統計情報に対応する画像をディスプレイに表示する。
【０２３１】
図２２は、端末装置５１に表示される、統計情報に対応する画像の例を示す図である。
【０２３２】
図２２において、情報利用者５０が指定した地域４６１は、横方向に「１」乃至「４」、および、縦方向に「Ａ」乃至「Ｄ」に分割され、１６個のエリアにより構成されている。
【０２３３】
地域４６１において、表示されたエリアの色が最も濃いエリアＣ−３が、最も存在率の高いエリアであり、次いで、エリアＢ−３、Ｃ−２、およびＤ−３が、エリアＣ−３の存在率の高く、エリアＢ−２、Ｂ−４、および、Ｃ−４の存在率がその次に高く、それ以外のエリアＡ−１乃至Ａ−４、Ｂ−１、Ｃ−１、Ｄ−１、Ｄ−２、並びにＤ−４の存在率が最も低い。
【０２３４】
従って、情報提供者５０は、地域４６１においては、エリアＣ−３に、人が集まりやすい原因となる物（例えば、人気のある有名店やステージ等）が存在することを推定することができる。
【０２３５】
なお、例えば、端末装置５１が、図２２に示される情報に加えて、その地域の地図情報を重畳して表示させるようにすれば、情報利用者５０にとって、さらに分かりやすい情報となる。
【０２３６】
なお、以上においては、端末装置４１は、ＧＰＳモジュール４１Ａを用いて取得したセンサ情報を情報管理サーバ１１に供給するように説明したが、これに限らず、例えば、ＧＰＳモジュール４１Ａの代わりに、図２３のような照度計を用いて取得したセンサ情報を情報管理サーバ１１に供給するようにしてもよい。
【０２３７】
図２３は、照度計の構成例を示す図である。
【０２３８】
図２３において、照度計４７０は、フォトダイオードやＣｄＳ（硫化カドミウム）セル等の光電素子からなる光センサ４７１、および、入力されたアナログ電流より、デジタル信号の光量値を算出する変換器４７２により構成され、周囲の光量を測定し、その情報を端末装置４１に供給する。
【０２３９】
光センサ４７１には、所定の電圧がかけられており、入射された光量（照度）に応じて光センサ４７１を流れる電流値が図２４に示される照度・電流特性のように変化する。
【０２４０】
変換器４７２は、フォトダイオードを流れる電流値を検出し、その電流値より光量を算出して、デジタルデータとして、センサ制御部２１６に供給する。センサ制御部２１６は、そのデジタルデータである光量値を各部に供給し、ＣＰＵ２０１は、その光量値を、センサ情報として、通信部２１２を介して情報管理サーバ１１に供給する。
【０２４１】
情報管理サーバ１１は、取得したセンサ情報より、例えば、エリア毎の、明るさ分布図等の統計情報を作成することができる。
【０２４２】
また、センサ制御部に接続されるモジュールは、照度計の他にも、例えば、温度計や湿度計等の各種センサであってもよい。取得したセンサ情報を情報管理サーバ１１に供給するようにしてもよい。
【０２４３】
さらに、センサ制御部に接続されるモジュールは、上述した測定器以外にも、特定の電波を検知し、通信を行う、ブルートゥースモジュール等の無線通信装置であってもよい。
【０２４４】
図２５は本発明を適用した情報提供システムの他の構成例を示す図である。
【０２４５】
図２５において、情報提供者４０が有する端末装置４８１は、図１に示される端末装置４１と同様の、携帯電話機やＰＤＡ（Ｐｅｒｓｏｎａｌ　Ｄｉｇｉｔａｌ　Ａｓｓｉｓｔａｎｔｓ）等に代表される、無線通信機能を有する携帯型の情報処理装置であり、ネットワーク２０に接続されている最寄り基地局３１と無線通信を行うことによりネットワーク２０と接続可能とされている。
【０２４６】
なお、端末装置４８１の内部の構成は、図３に示される端末装置４１とほぼ同様であるので、その説明は省略する。具体的には、端末装置４８１の場合、ＧＰＳモジュール４１Ａの代わりに、ブルートゥースモジュール４８１Ａがセンサ制御部２１６に接続される。以下においては、端末装置４８１の内部の構成例として、図３に示される構成例を適用する。
【０２４７】
図２５に戻り、端末装置４８１は、ブルートゥースモジュール４８１Ａを有しており、情報提供者４０の近くに存在する商店４９１に設けられた通信装置４９１Ａと、ブルートゥース（Ｂｌｕｅｔｏｏｔｈ（登録商標））を用いた近距離無線通信を行うことができる。
【０２４８】
ブルートゥースは、主に携帯情報端末機器向けの近距離無線通信技術であり、例えば、ノートパソコンやＰＤＡ、携帯電話などにおいて、ケーブルを使わずに互いに接続し、音声やデータをやりとりすることができる。ブルートゥースは、免許なしで自由に使うことのできる２．４５ＧＨｚ帯の電波を利用し、１Ｍｂｐｓの速度で通信を行うことができる。ブルートゥースはＩｒＤＡ（Ｉｎｆｒａｒｅｄ　Ｄａｔａ　Ａｓｓｏｃｉａｔｉｏｎ）のような赤外線通信方式と違って、機器間の距離が１０ｍ以内であれば障害物があっても利用することができる。また、ブルートゥースは０．５平方インチの小型のトランシーバを利用するため、ＩｒＤＡに比べ消費電力が小さく、製造コストも低く抑えられる。
【０２４９】
ブルートゥースモジュール４８１Ａは、図２６Ａに示すように、端末装置４８１と別体で構成されており、上部に設けられた接続部５０１が、図２６Ｂに示される端末装置４８１の下面に設けられた接続端子５０２に、図１に示されるように、接続されることにより、センサ制御部２１６に電気的に接続される。
【０２５０】
なお、以上においては、ブルートゥースモジュール４８１Ａは、端末装置４８１と別体で構成されるように説明したが、これに限らず、端末装置４８１と一体化して構成されていてもよく、さらに、端末装置４８１に内蔵されるようにしてもよい。
【０２５１】
商店４９１に設置されている通信装置４９１Ａは、商店４９１を識別する店舗ＩＤを保持しており、ブルートゥースを用いた近距離無線通信により、接近または入店した情報提供者４８１が操作する端末装置４８１に店舗ＩＤを供給する。
【０２５２】
店舗ＩＤを取得した端末装置４８１は、その店舗ＩＤをセンサ情報として、最寄りの基地局３１からネットワーク２０を介して、情報センタ１０の情報管理サーバ１１に供給する。
【０２５３】
情報管理サーバ１１は、以上のように提供されたセンサ情報より、例えば、入店した情報提供者の人数や性別、入店した時間帯等の統計情報を作成し、情報利用者に提供することができる。
【０２５４】
情報利用者は、これらの統計情報に基づいて、例えば、どの店がどの時間帯に、どのくらい混雑しているか等を推測することができる。
【０２５５】
図２７は本発明を適用した情報提供システムの、さらに他の構成例を示す図である。
【０２５６】
図２７において、ブルートゥースモジュール４８１Ａが装着された端末装置４８１を有する情報提供者４０は、レストラン５０５に入店している。そこで、情報提供者４０がメニューを注文すると、店員５１０は、端末装置５１１を操作して、注文されたメニューを入力する。メニューを入力された端末装置５１１は、端末装置４８１と同様に、ブルートゥースモジュール５１１Ａを有しており、端末装置４８１とブルートゥースを用いた近距離無線通信を行い、入力されたメニュー情報を端末装置４８１に供給する。
【０２５７】
端末装置５１１より、メニュー情報を取得した端末装置４８１は、情報提供者４０に操作され、そのメニュー情報をセンサ情報として、最寄りの基地局３１からネットワーク２０を介して、情報センタ１０の情報管理サーバ１１に供給する。
【０２５８】
情報管理サーバ１１は、以上のようにして供給されたセンサ情報に対して統計処理を行い、レストランのメニューに関する統計情報を生成する。この統計情報は、例えば、レストラン５０５の店員５２０が操作する端末装置５２１に供給され、レストラン５０５の経営方針の決定に利用されたり、これからレストラン５０５に来店する情報利用者５０が操作する端末装置５１に供給され、メニューを決定するための参考情報として利用されたりする。
【０２５９】
図２８乃至図３０は、情報利用者に提供される、レストランのメニューに関する統計情報の例を示す図である。
【０２６０】
図２８に示される統計情報５３１は、店舗毎の統計情報であり、所定の期間に「○×レストラン」の「東西南北店」において注文した「４７人」の情報提供者より提供された情報を統計処理した情報である。統計情報５３１には、性別毎に注文したメニューの割合を示す情報が含まれている。
【０２６１】
図２９に示される統計情報５４１は、「○×レストラン」全店に関する統計情報であり、「○×レストラン」の各店において注文した「２１７人」の情報提供者より提供された情報を統計処理した情報である。統計情報５４１には、性別毎に注文したメニューの割合を示す情報が含まれている。
【０２６２】
図３０に示される統計情報５５１は、外食した情報提供者に関する統計情報であり、この情報提供サービスに加入している全ての店において注文した「２５２１人」の情報提供者より提供された情報を統計処理した情報である。統計情報５５１には、性別毎に注文したメニューの割合を示す情報が含まれている。
【０２６３】
レストラン５０５を訪れた情報利用者５０は、端末装置５１に表示された、以上のような統計情報を参照して、メニュー決定の参考にすることができる。また、店員５２０は、端末装置５２１に表示された、以上のような統計情報を参照して、レストラン５０５の経営方針決定の参考にすることができる。
【０２６４】
以上のように、情報管理サーバ１１は、情報提供者４０の端末装置４１より供給されたセンサ情報を用いて統計情報を生成し、情報利用者５０の端末装置５１に供給するので、情報提供者４０の個人情報を含めずに、情報利用者５０に情報を供給することができ、情報提供者４０のプライバシーを保護しながら、情報利用者５０に情報を提供することができる。
【０２６５】
また、センサ情報を提供する端末装置４１は、情報送信管理部２０４に設けられたスイッチ２０４Ａがオンの状態である間、所定の間隔毎に、センサ情報を自動的に情報管理サーバ１１に供給する。従って、情報提供者４０は、センサ情報を提供したい場合には、スイッチ２０４Ａをオンにし、センサ情報の提供を中止したい場合には、スイッチ２０４Ａをオフにするだけでよく、容易にセンサ情報の情報管理サーバ１１への供給を制御することができる。
【０２６６】
さらに、以上のような構成にすることにより、情報管理サーバ１１は、統計情報を要求した情報利用者５０より情報量等に応じて課金処理を行い、徴収した情報料より手数料の一部を、情報を提供した情報提供者に配分することができる。
【０２６７】
なお、以上においては、情報センタ１０には、１台の情報管理サーバ１１が設置されているが、これに限らず、複数台設置されていてもよい。また、例えば、情報管理サーバ１１のセンサ情報データベース１３１、個人情報データベース１３２、または、対価計算部１０６等が別のサーバとして構成されるようにしてもよい。
【０２６８】
また、図１においては、端末装置４１は、最寄りの基地局３１と無線通信を行い、ネットワーク２０に接続されているように説明したが、これに限らず、優先によりネットワーク２０に接続されていてもよい。なお、端末装置５１についても同様である。
【０２６９】
さらに、ネットワーク２０には、基地局３１および３２の２つの基地局が接続されているが、実際には、さらに多くの数の基地局がネットワーク２０に接続されており、端末装置４１および５１は、現在の位置に最も近い基地局と無線通信を行う。
【０２７０】
なお、以上において、システムとは、複数の装置により構成される装置全体を表すものである。
【０２７１】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２７２】
この記録媒体は、図２，３、および５に示されるように、装置本体とは別に、ユーザにプログラムを提供するために配布される、プログラムが記録されている磁気ディスク１４１，２３１、および３３１（フレキシブルディスクを含む）、光ディスク１４２，２３２、および３３２（ＣＤ−ＲＯＭ（Ｃｏｍｐａｃｔ　Ｄｉｓｋ　−　Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク１４３，２３３、および、３３３（ＭＤ（Ｍｉｎｉ−Ｄｉｓｋ）（商標）を含む）、もしくは半導体メモリ１４４，２３４、および、３３４などよりなるパッケージメディアにより構成されるだけでなく、装置本体に予め組み込まれた状態でユーザに提供される、プログラムが記録されているＲＯＭ１０２，２０３、および、３０３や、記憶部１２３，２１１、および、３１１に含まれるハードディスクなどで構成される。
【０２７３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２７４】
【発明の効果】
以上のように、本発明の情報提供システムによれば、プライバシーを保護しながら、ユーザより容易に情報を収集し、他のユーザに情報を提供することができる。
【０２７５】
また、本発明の第１の情報処理装置および方法、第１の記録媒体、並びに第１のプログラムによれば、ユーザより収集した情報を、プライバシーを保護しながら、他のユーザに提供することができる。
【０２７６】
さらに、本発明の第２の情報処理装置および方法、第２の記録媒体、並びに第２のプログラムによれば、容易に周辺情報を収集し、提供することができる。
【図面の簡単な説明】
【図１】本発明を適用した情報提供システムの構成例を示す図である。
【図２】図１の情報センタに設置された情報管理サーバの内部の構成例を示す図である。
【図３】図１の端末装置の構成例を示す図である。
【図４】図１のＧＰＳモジュールと端末装置の外見図である。
【図５】図１の端末装置の他の構成例を示す図である。
【図６】図３の端末装置による個人プロフィール情報供給処理について説明するフローチャートである。
【図７】個人プロフィール情報の例を示す図である。
【図８】図２の情報管理サーバによる個人プロフィール情報登録処理について説明するフローチャートである。
【図９】個人保存情報の構成例を示す図である。
【図１０】図３の端末装置によるセンサ情報供給処理について説明するフローチャートである。
【図１１】情報提供開始要求の構成例を示す図である。
【図１２】通信情報の構成例を示す図である。
【図１３】センサ情報の構成例を示す図である。
【図１４】図２の情報管理サーバによるセンサ情報取得処理を説明するフローチャートである。
【図１５】センサ保存情報の構成例を示す図である。
【図１６】図５の端末装置による統計情報要求処理について説明するフローチャートである。
【図１７】図２の情報管理サーバによる統計情報供給処理について説明するフローチャートである。
【図１８】図２の情報管理サーバによる対価算出処理について説明するフローチャートである。
【図１９】図３の端末装置によるセンサ情報供給処理の他の例について説明するフローチャートである。
【図２０】図３の端末装置によるセンサ情報供給処理の他の例について説明する、図１９に続くフローチャートである。
【図２１】情報管理サーバによるセンサ情報取得処理を説明するフローチャートである。
【図２２】統計情報に対応する画像の例を示す図である。
【図２３】照度計の構成例を示す図である。
【図２４】図２３の光センサの照度・電流特性の例を示す図である。
【図２５】本発明を適用した情報提供システムの他の構成例を示す図である。
【図２６】ブルートゥースモジュールおよび端末装置の外見図である。
【図２７】本発明を適用した情報提供システムの、さらに他の構成例を示す図である。
【図２８】レストランのメニューに関する統計情報の例を示す図である。
【図２９】レストランのメニューに関する統計情報の、他の例を示す図である。
【図３０】レストランのメニューに関する統計情報の、さらに他の例を示す図である。
【符号の説明】
１０　情報センタ，　１１　情報管理サーバ，　４０　情報提供者，　４１　端末装置，　４１Ａ　ＧＰＳモジュール，　５０　情報利用者，　５１　端末装置，　０５　統計処理部，　１０６　対価計算部，　１３１　センサ情報データベース，　１３２　個人情報データベース，　２０４　情報送信管理部，　２０４Ａ　スイッチ，　２１６　センサ制御部，　４０１　個人プロフィール情報，　４１１　個人保存情報，　４２１　情報提供開始要求，　４３１　通信情報，　４４１　センサ情報，　４５１　センサ保存情報，　４７１　フォトダイオード，　４７２　変換器，　４８１　端末装置，　４８１Ａ　ブルートゥースモジュール，　４９１　商店，　４９１Ａ　通信装置，　５０５　レストラン，　５１０　店員，　５１１　端末装置，　５１１Ａ　ブルートゥースモジュール，　５２０　店員，　５２１　端末装置，　５３１　統計情報，　５４１　統計情報，
５５１　統計情報
【図１】
2004029940.tif 000005
【図２】
2004029940.tif 000006
【図３】
2004029940.tif 000007
【図４】
2004029940.tif 000008
【図５】
2004029940.tif 000009
【図６】
2004029940.tif 000010
【図７】
2004029940.tif 000011
【図８】
2004029940.tif 000012
【図９】
2004029940.tif 000013
【図１０】
2004029940.tif 000014
【図１１】
2004029940.tif 000015
【図１２】
2004029940.tif 000016
【図１３】
2004029940.tif 000017
【図１４】
2004029940.tif 000018
【図１５】
2004029940.tif 000019
【図１６】
2004029940.tif 000020
【図１７】
2004029940.tif 000021
【図１８】
2004029940.tif 000022
【図１９】
2004029940.tif 000023
【図２０】
2004029940.tif 000024
【図２１】
2004029940.tif 000025
【図２２】
2004029940.tif 000026
【図２３】
2004029940.tif 000027
【図２４】
2004029940.tif 000028
【図２５】
2004029940.tif 000029
【図２６】
2004029940.tif 000030
【図２７】
2004029940.tif 000031
【図２８】
2004029940.tif 000032
【図２９】
2004029940.tif 000033
【図３０】
2004029940.tif 000034